(57)【特許請求の範囲】
【請求項１】
無線端末からの要求によって、前記無線端末のＩＰアドレスをＷｅｂサーバに出力し、前記無線端末からユーザＩＤ及びパスワードを用いたログイン要求があると、前記ログイン要求の情報を前記Ｗｅｂサーバに出力する構内交換機と、
ユーザの情報としてユーザ名とユーザＩＤとパスワードとを対応付けて記憶する利用者情報テーブルと、ユーザが利用している無線端末を管理するために無線端末の内線番号及びＩＰアドレスに対応付けてログイン中のユーザＩＤを記憶する端末利用者管理テーブルとを有するデータベースと、
無線端末のＩＰアドレスとユーザＩＤ及びパスワードを用いたログイン要求の情報が入力されると、前記データベースの前記利用者管理テーブルにアクセスし、正当なユーザからのログイン要求であるか否かを判断し、正当なユーザでなければログインを拒否し、正当なユーザであれば当該無線端末の内線番号及びＩＰアドレスに前記ユーザＩＤを対応付けて前記データベースの前記端末利用者管理テーブルに記憶させ、更に無線端末の利用状況に関する閲覧要求が入力されると、前記データベースの前記端末利用者管理テーブル及び前記利用者管理テーブルにアクセスして、ログイン中の無線端末の内線番号及び対応するユーザ名を前記構内交換機を介して前記閲覧要求のあった無線端末に出力するＷｅｂサーバとを有することを特徴とする構内無線通信システム。
【請求項２】
ユーザの情報としてユーザ名とユーザＩＤとパスワードとを対応付けて記憶する利用者情報テーブルと、ユーザが利用している無線端末を管理するために無線端末の内線番号及びＩＰアドレスに対応付けてログイン中のユーザＩＤを記憶する端末利用者管理テーブルとを有するデータベースを備え、
構内交換機を介して、無線端末のＩＰアドレスと、ユーザＩＤ及びパスワードを用いたログイン要求とが入力されると、前記データベースの前記利用者管理テーブルにアクセスし、正当なユーザからのログイン要求であるか否かを判断し、正当なユーザでなければログインを拒否し、正当なユーザであれば当該無線端末の内線番号及びＩＰアドレスにユーザＩＤを対応付けて前記データベースの前記端末利用者管理テーブルに記憶させ、更に無線端末の利用状況に関する閲覧要求が入力されると、前記データベースの前記端末利用者管理テーブル及び前記利用者管理テーブルにアクセスして、ログイン中の無線端末の内線番号及び対応するユーザ名を前記構内交換機を介して前記閲覧要求のあった無線端末に出力することを特徴とするＷｅｂサーバ。
【発明の詳細な説明】
【０００１】
【発明の属する技術分野】
本発明は、構内ＰＨＳ等の構内無線通信システムに係り、特にユーザが任意の端末を使用することができ、利便性を向上させることができ、システムの利用効率を向上させることができる構内無線通信システム及びＷｅｂサーバに関する。
【０００２】
【従来の技術】
従来の構内無線通信システムについて図７を使って説明する。図７は、従来の構内無線通信システムの構成を示すブロック図である。
図７に示すように、従来の構内無線通信システムは、構内無線通信の通話やデータ通信の通信制御を行う交換機７と、ユーザが携帯する端末３と、エリア内に位置する端末３との無線通信を行う基地局２とから構成されている。
【０００３】
更に、交換機７は、交換制御等を行う交換制御部７１と、複数の基地局２を統括して制御する基地局制御部７２とを備え、交換制御部７１は、交換制御部７１全体の制御を行う主制御部７３と、タイムスロット毎にチャネルの切り換えを行う時分割スイッチ（時分割ＳＷ）７４とから構成されている。
【０００４】
上記従来の構内無線通信システムにおける通話時の動作について簡単に説明する。
従来の構内無線システムでは、各端末３は基地局２を介して交換機７の交換制御部７１に位置登録しており、各端末３が位置するエリアをカバーする基地局２を記憶している。
【０００５】
任意の端末３からの発呼時に、発呼要求が基地局２及び基地局制御部７２を介して交換制御部７１に入力されると、交換制御部７１が、空きチャネルの有無を確認してチャネルを割り当て、基地局制御部７２を介して着呼側の端末３′が位置登録されている基地局２に着信を報知する信号を出力する。そして、基地局２が無線にて着信報知信号を出力し、端末３′は、自己宛の着信報知信号を受信すると、着信音の出力等の着信動作を行い、ユーザがオフフックすると端末３と端末３′との通話が割り当てられたチャネルを用いて開始される。このようにして従来の構内無線システムにおける動作が行われるようになっていた。
【０００６】
そして、従来の構内無線通信システムにおいては、端末３毎にユーザを割り振るようになっており、端末３とユーザとは固定的に対応付けられ、ユーザはほとんどの場合、割り振られた端末３を使用していた。つまり、ユーザ毎に内線番号が決まっていた。
【０００７】
また、従来の無線通信システムとしては、システム内にＷｅｂサーバを備え、Ｗｅｂブラウザを備えた端末がＷｅｂサーバにアクセスすることにより、Ｗｅｂページの閲覧を可能とするものもあった。ここで、各端末には、Ｗｅｂサーバを含むネットワーク上で通信を行うための固有番号として、ＩＰアドレスが予め付与されている。
【０００８】
尚、無線通信システムに関する従来例としては、平成１３年１２月７日公開の特開２００１−３３７９７９「無線端末用情報提供サーバ」（出願人：山下慎太郎、発明者：山下慎太郎）がある。
この従来技術は、地理的な位置情報と関連づけられた情報からなるデータベースを備え、ネットワークに接続している無線端末からの接続要求を受けて通信を開始することにより、無線端末の現在位置の情報を得て、その現在位置をキーとしてデータベースを検索し、無線端末の存在する位置の周辺の情報を提供する無線端末用情報提供サーバであり、位置情報とネットワークの双方向性の特質を組み合わせた新たな情報提供サーバを提供するものである。
【０００９】
【発明が解決しようとする課題】
しかしながら、従来の構内無線通信システムでは、端末３とユーザとが固定的に対応付けられているため、ユーザは常に特定の端末を所持する必要があり、不便であると共に、端末の使用頻度があまり高くない部署等では端末が有効利用されずシステムのコストが高くなってしまうという問題点があった。
【００１０】
本発明は上記実情に鑑みて為されたもので、ユーザが任意の端末を使用できるようにして、利便性を向上させることができると共に、システムの利用効率を向上させることができる構内無線通信システム及びＷｅｂサーバを提供することを目的とする。
【００１１】
【課題を解決するための手段】
上記従来例の問題点を解決するための本発明は、無線端末からの要求によって、当該無線端末のＩＰアドレスをＷｅｂサーバに出力し、当該無線端末からユーザＩＤ及びパスワードを用いたログイン要求があると、ログイン要求の情報をＷｅｂサーバに出力する構内交換機と、ユーザの情報としてユーザ名とユーザＩＤとパスワードとを対応付けて記憶する利用者情報テーブルと、ユーザが利用している無線端末を管理するために無線端末の内線番号及びＩＰアドレスに対応付けてログイン中のユーザＩＤを記憶する端末利用者管理テーブルとを有するデータベースと、無線端末のＩＰアドレスとユーザＩＤ及びパスワードを用いたログイン要求の情報が入力されると、データベースの利用者管理テーブルにアクセスし、正当なユーザからのログイン要求であるか否かを判断し、正当なユーザでなければログインを拒否し、正当なユーザであれば当該無線端末の内線番号及びＩＰアドレスに当該ユーザＩＤを対応付けてデータベースの端末利用者管理テーブルに記憶させ、更に無線端末の利用状況に関する閲覧要求が入力されると、データベースの端末利用者管理テーブル及び前記利用者管理テーブルにアクセスして、ログイン中の無線端末の内線番号及び対応するユーザ名を構内交換機を介して閲覧要求のあった無線端末に出力するＷｅｂサーバとを有することを特徴とする構内無線通信システムとしており、ユーザと無線端末との対応をリアルタイムのログイン状況に基づいて管理することにより、ユーザが任意の端末を使用できるようにして利便性を向上させることができると共に、ログイン状況を閲覧可能としたことにより通話又は通信相手の情報を得ることができ、システムの利用効率を向上させることができる。
【００１２】
また、本発明は、ユーザの情報としてユーザ名とユーザＩＤとパスワードとを対応付けて記憶する利用者情報テーブルと、ユーザが利用している無線端末を管理するために無線端末の内線番号及びＩＰアドレスに対応付けてログイン中のユーザＩＤを記憶する端末利用者管理テーブルとを有するデータベースを備え、構内交換機を介して、無線端末のＩＰアドレスと、ユーザＩＤ及びパスワードを用いたログイン要求とが入力されると、データベースの利用者管理テーブルにアクセスし、正当なユーザからのログイン要求であるか否かを判断し、正当なユーザでなければログインを拒否し、正当なユーザであれば当該無線端末の内線番号及びＩＰアドレスにユーザＩＤを対応付けてデータベースの前記端末利用者管理テーブルに記憶させ、更に無線端末の利用状況に関する閲覧要求が入力されると、データベースの端末利用者管理テーブル及び利用者管理テーブルにアクセスして、ログイン中の無線端末の内線番号及び対応するユーザ名を構内交換機を介して閲覧要求のあった無線端末に出力するＷｅｂサーバとしており、ユーザと無線端末との対応をリアルタイムのログイン状況に基づいて管理することにより、ユーザが任意の端末を使用できるようにして利便性を向上させることができると共に、ログイン状況を閲覧可能としたことにより通話又は通信相手の情報を得ることができ、システムの利用効率を向上させることができる。
【００１３】
【発明の実施の形態】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００１４】
本発明に係る構内無線通信システムは、端末使用時にユーザＩＤ及びパスワードを入力するログイン操作が行われると、Ｗｅｂサーバが、予め利用者情報として記憶されているユーザ名及びユーザＩＤ及びパスワードと入力されたユーザＩＤ及びパスワードとを比較して、一致した場合に、当該端末に予め付与されているＩＰアドレスに対応して当該ユーザＩＤを登録する利用登録を行うと共に、任意の端末から閲覧要求があった場合に利用登録したユーザ名とそれに対応する端末番号とを表示出力するものであり、ユーザと端末との対応付けを随時変更可能なものとしてシステムの利用効率を向上させ、また、閲覧要求に基づいてユーザ名と利用登録した端末番号を表示することにより、誰が何番の端末を使っているのかを随時知ることができ、利便性を向上させることができるものである。
【００１５】
図１は、本発明の実施の形態に係る構内無線通信システムの構成ブロック図である。尚、図７と同様の構成をとる部分については同一の符号を付して説明する。
本発明の実施の形態の構内無線通信システムの基本的な構成は従来とほぼ同様であり、図１に示すように、構内無線通信の通信制御及び外線との接続（図示せず）を行う交換機１と、ユーザが携帯する端末（無線端末）３と、エリア内の端末３との無線通信を行う基地局２と、インターネット等のネットワークに接続し、端末３にＷｅｂページを閲覧させるＷｅｂサーバ４と、端末毎の管理情報や利用者（ユーザ）の情報やＷｅｂページのデータ等を蓄積するデータベース（ＤＢ）５とから構成されている。
【００１６】
特に、本システムの特徴として、Ｗｅｂサーバ４は、端末３のログインを受け付け、各端末３のＩＰアドレスと、端末３を使用しているユーザのユーザＩＤ（識別番号）とを対応付けて管理する処理を行うものである。
【００１７】
また、端末３はＷｅｂブラウザを備え、予め付与されているＩＰアドレスを用いてＷｅｂサーバ４にアクセスし、Ｃ−ＨＴＭＬ（Compact HTML）データを受信してブラウザ上に画面を表示し、Ｗｅｂページの閲覧を行うものである。また、本システムの特徴として、ユーザは、不特定の端末３を携帯可能となっている。端末とユーザとの対応付けについては後で詳細に説明する。
【００１８】
更に、交換機１は、通信制御及び交換を行う交換制御部１１と、基地局全体を統括する基地局制御部１２と、端末３とＷｅｂサーバ４との接続を制御するネットワーク制御部１３とを備えている。また、交換制御部１１は、従来と同様に、主制御部１４及び時分割スイッチ１５を備えている。
【００１９】
そして、本システムの特徴として交換制御部１１とネットワーク制御部１３とＷｅｂサーバ４及びデータベース５の構成及び動作が従来とは一部異なっている。本システムの交換制御部１１は、Ｗｅｂサーバによってログインが許可された端末３のみを使用可能とするものである。また、ネットワーク制御部１３には、ＰＨＳ端末管理テーブル１３ａが設けられ、データベース５には、Ｗｅｂサーバ４によってデータの書き込み／読み出しが為される利用者情報テーブル５１と、端末利用者管理テーブル５２とが設けられている。また、Ｗｅｂサーバ４には、従来と同様にメール送受信手段（図示せず）が設けられている。尚、ここでは利用者情報テーブル５１及び端末利用者管理テーブル５２をデータベース５に設けているが、Ｗｅｂサーバ４の内部に設けるようにしても構わない。
【００２０】
ここで、ネットワーク制御部１３が備えているＰＨＳ端末管理テーブル１３ａについて図２を用いて説明する。図２は、ネットワーク制御部１３が備えているＰＨＳ端末管理テーブル１３ａの説明図である。
図２に示すように、ＰＨＳ端末管理テーブル１３ａは、端末３毎の内線番号と、ＩＰアドレスとを対応付けて記憶しているものである。内線番号とＩＰアドレスとの対応付けは１対１対応であり、固定的な対応付けとなっている。
【００２１】
そして、個々の端末３は、Ｗｅｂサーバ４を含むネットワーク中において、ＩＰアドレスで識別されるものであり、例えば、任意の端末３からＷｅｂサーバ４に対する接続要求があった場合には、ネットワーク制御部１３が端末番号及びＩＰアドレスをチェックして、正当である場合にＷｅｂサーバ４にＩＰアドレスを出力して、接続するようになっている。
【００２２】
次に、データベース５が備えている利用者情報テーブル５１について図３を用いて説明する。図３は、利用者情報テーブル５１の説明図である。
図３に示すように、利用者情報テーブル５１は、本構内無線通信システムの正当な利用者となり得る全ての人について、名前（ユーザ名）と、ユーザの固有番号であるユーザＩＤと、パスワードとを対応付けて記憶しているものである。
【００２３】
また、ユーザとしては、事業所内の社員だけでなく、本システムの端末３を利用し得る同一会社の他事業所の人を含めることも可能であり、交代勤務やアルバイトを雇用している場合にはそれらの人の情報も利用者情報テーブル５１に登録しておくことが考えられる。
【００２４】
更に、本システムの特徴として、端末３とユーザとを可変的に対応付けるために、データベース５に、どの端末をどのユーザが利用しているかといった端末利用状況を管理する端末利用者管理テーブル５２を設けている。端末利用者管理テーブル５２について図４を用いて説明する。図４は、端末利用者管理テーブル５２の説明図である。
【００２５】
図４に示すように、データベース５に設けられている端末利用者管理テーブル５２は、内線番号と、ＩＰアドレスと、当該端末にログインしたユーザＩＤとを対応付けて記憶しているものである。すなわち、現時点で各々の端末をどのユーザが使用しているのかを示す情報を記憶するテーブルである。ログイン操作については後述する。
【００２６】
更に、本システムの特徴として、Ｗｅｂサーバ４は、端末利用者管理テーブル５２及び利用者情報テーブル５１に基づいて、端末３から要求があった場合には随時、端末利用状況を閲覧可能としているものである。
具体的には、Ｗｅｂサーバ４は、端末３からユーザ名又はユーザＩＤを付して端末利用状況の閲覧要求が送信されると、データベース５の利用者情報テーブル５１及び端末利用者管理テーブル５２を参照して、入力されたユーザ名又はユーザＩＤに対応して端末利用者管理テーブル５２に登録されている内線番号を読み出し、当該ユーザ名又はユーザＩＤと共に使用中の内線番号を要求元の端末３に表示出力するものである。
【００２７】
これにより、発呼しようとするユーザは、携帯している端末３から宛先のユーザ名又はユーザＩＤを入力して、端末の利用状況を閲覧要求することにより、台帳等で調べることなく所望の相手が何番の端末を所持しているかを簡単に知ることができ、当該端末宛に発呼することができるものである。
【００２８】
更にまた、本システムの特徴として、Ｗｅｂサーバ４から各端末３にメールを送信する場合には、メール送信機能を起動して、ユーザ名を入力又は画面上で指定することにより、Ｗｅｂサーバ４が端末利用者管理テーブル５２を参照して、宛先に現在当該ユーザが使用中の端末のＩＰアドレスを入力し、メール送信を行うものである。
【００２９】
次に、本システムの動作について説明する。まず、本システムの特徴であるログイン操作について説明する。
本システムでは、端末３を使用する場合には、ログイン操作を行うようになっている。但し、本システムでは、一旦ログインした場合には、同一端末からログアウト操作が為されるか、又は同一ユーザが別の端末３でログイン操作を行うまで端末３のログイン状態が維持されるようになっており、使用する毎にログイン操作を行う必要はないものである。
【００３０】
本システムでは、任意の端末３の電源を投入すると、端末３が内線番号と共に位置登録要求を出力し、交換機１の交換制御部１１が、当該内線番号をチェックして、正当な端末であるかどうかを判断して、正当な端末であれば、位置登録を行う。これにより、無線通信に必要な制御情報の交信は可能となるが、ログインされていない状態ではまだ当該端末３は使用不可の状態となっており、発呼要求や着呼要求及びメールの送受信を受け付けないものである。
【００３１】
そして、交換制御部１１はネットワーク制御部１３に内線番号のデータを出力し、ネットワーク制御部１３が当該内線番号に対応するＩＰアドレスをＷｅｂサーバ４に出力し、Ｗｅｂサーバ４は、データベース５にアクセスして端末利用者管理テーブル５２を参照し、当該端末がログインされているか、つまり当該端末のＩＰアドレスに対応するユーザＩＤが記憶されているかどうかを判断し、ログインされていればネットワーク制御部１３を介してその旨交換制御部１１に送出し、端末３は待ち受け状態に移行する。
【００３２】
また、電源投入時にログインされていなければ、Ｗｅｂサーバ４は、ネットワーク制御部１３及び基地局制御部１２を介して当該端末３にログイン画面を表示出力する。図５は、ログイン時の画面を示す表示例である。
端末３が電源投入時にログインされていない場合には、表示部に図５に示すようなログイン画面が表示される。ログイン画面にはユーザＩＤとパスワードとを入力するエリアが設けられており、ユーザはそれぞれのエリアにキー操作によってユーザＩＤとパスワードとを入力し、確認後、「ＯＫ」ボタンを選択し、決定する。
【００３３】
「ＯＫ」ボタンが押下されると、入力されたユーザＩＤとパスワードとが端末３から送信され、基地局２を介して交換機１に入力されて、交換制御部１１及びネットワーク制御部１３を介してＷｅｂサーバ４に入力される。すると、Ｗｅｂサーバ４が、データベース５にアクセスして、入力されたユーザＩＤ及びパスワードと利用者情報テーブル５１に記憶されているユーザＩＤ及びパスワードとを比較して、一致した場合に、図４に示した端末利用者管理テーブル５２の内線番号及びＩＰアドレスに対応して当該ユーザＩＤを記入し、端末３にログインを許可する信号を出力する。これにより、当該端末３は、ログインしたユーザによって利用登録されたことになる。
【００３４】
そして、ログイン許可の信号はネットワーク制御部１３を介して交換制御部１１に出力され、交換制御部１１では当該端末３の通話及びデータ通信の受け付けを開始する。そして、基地局制御部１２及び当該端末３のいるエリアをカバーする基地局２を介して当該端末３にログイン許可の信号が無線出力され、端末３がログイン許可の信号を受信すると、端末３は通常の待ち受け状態に移行し、通話及びＷｅｂサーバ４を介したデータ送受信を行うことができるようになるものである。
【００３５】
また、ログアウトする場合には、端末３のメニューから「ログアウト」を選択することにより、Ｗｅｂサーバ４宛にログアウトの要求が出力され、交換機１のネットワーク制御部１３が内線番号に対応するＩＰアドレスとログアウト要求とをＷｅｂサーバ４に出力し、Ｗｅｂサーバ４が、端末利用者管理テーブル５２の当該ＩＰアドレスに対応するユーザＩＤを消去することにより、ログアウトが完了するものである。
【００３６】
そして、それと共にＷｅｂサーバ４は、交換制御部１１に当該端末のログアウトを報知して端末３の使用を不可にし、更に当該端末３宛にログイン画面を送出し、端末３にログイン画面を表示させるようになっている。
【００３７】
また、ユーザがログアウト操作をしないまま別の端末３においてログイン操作を行った場合には、Ｗｅｂサーバ４は、端末利用者管理テーブル５２において、元の端末３に対応するユーザＩＤを消去し、ログアウトしてから、新しく要求された端末３に対応して当該ユーザＩＤを書き込むようにしており、同一ユーザが同時に複数の端末３を使用できないようにしているものである。
【００３８】
これにより、本システムでは、端末３とユーザとの対応をリアルタイムのログイン状況に基づいて管理し、随時対応付けを変更可能としてユーザが任意の端末を利用できるようにして、端末３の有効利用を図ることを可能としているものである。
【００３９】
例えば、交替勤務の人が多い部署等、全員がそろって勤務することが少ない場合など、一人に１台の端末３を支給するより、同時に勤務する人数分の端末３を用意しておき、出勤した人が、その都度、複数の端末３をプールしてあるところから任意の端末３を取って携帯し、各自ログインすれば、その日の勤務中はその人がその端末３を使用できるようになる。そして、勤務終了時にログオフし、元の場所に戻しておけば、次の勤務時間帯には別の人がその端末を使用できるものである。このように、本システムでは、端末３を有効利用することにより、システムの利用効率を高め、コストを低減することができるものである。更に、ログイン中の端末３のみについてユーザとの対応付けを管理すればよく、機種変更や利用者の異動があった場合にもテーブルの更新のみで対応することが可能となるので、管理コストを低減することができるものである。
【００４０】
次に、ログイン時のＷｅｂサーバ４の動作について図６を用いて説明する。図６は、ログイン要求があった場合のＷｅｂサーバ４の動作を示すフローチャート図である。
図６に示すように、ネットワーク制御部１３からログイン要求として端末３のＩＰアドレスと端末３から入力されたユーザＩＤ及びパスワードが入力されると（１００）、Ｗｅｂサーバ４は、利用者情報テーブル５１を参照して、入力されたユーザＩＤ及びパスワードが利用者情報テーブル５１の内容と一致しているかどうかを判断し（１０２）、一致していない場合には、ログインを拒否する信号をネットワーク制御部１３を介して交換制御部１１に出力する（１０４）と共に、端末３にログイン画面を表示出力させる。この場合には端末３は使用不可のままである。
【００４１】
また、処理１０２において入力されたユーザＩＤ及びパスワードが利用者情報テーブル５１の内容と一致していた場合には、Ｗｅｂサーバ４は、ログインを許可する信号をネットワーク制御部１３を介して交換制御部１１に出力し（１１０）、端末利用者管理テーブル５２の当該ＩＰアドレスに対応して入力されたユーザＩＤを登録する（１１２）。このようにして、ログイン要求があった場合のＷｅｂサーバ４の動作が行われるものである。
【００４２】
本発明の実施の形態に係る構内無線通信システムによれば端末３からユーザＩＤ及びパスワードを付したログイン要求があった場合に、Ｗｅｂサーバ４が、予めデータベース５に記憶されている利用者情報テーブル５１を参照して、一致する場合には、データベース５に設けられた端末利用者管理テーブル５２に当該端末のＩＰアドレスに対応してログインされたユーザＩＤを登録して端末３の使用を許可するようにしているので、端末３とユーザとの対応付けを随時変更することができ、一ユーザが不特定多数の端末を交代で使用したり、同一端末を複数のユーザで使い回すことができ、ユーザの利便性を向上させると共に、端末の有効利用を図り、システムのコストを低減することができる効果がある。
【００４３】
また、本システムによれば、Ｗｅｂサーバ４が、リアルタイムでログインの状況を端末利用者管理テーブル５２に書き込み、端末３からユーザ名又はユーザＩＤを付した端末利用状況の閲覧要求が送信されると、Ｗｅｂサーバ４が、当該ユーザ名又はユーザＩＤをキーとして端末利用者管理テーブル５２及び利用者情報テーブル５１を検索して、ユーザ名（又はユーザＩＤ）及び使用中の端末の内線番号を要求元の端末３に表示出力するようにしているので、通話相手又は通信相手のログイン状況を任意の端末３から随時確認でき、容易に発呼することができる効果がある。
【００４４】
更に、本システムによれば、Ｗｅｂサーバ４からのメール送信の際にユーザ名を指定すると、Ｗｅｂサーバ４が、データベース５の端末利用者管理テーブル５２及び利用者情報テーブル５１を参照して、入力されたユーザ名に対応する現在使用中の端末３のＩＰアドレスを読み出して宛先とし、メールを送信するようにしているので、アドレスの入力操作を省略することができ、利便性を向上させることができる効果がある。
【００４５】
また、本システムによれば、一旦ログインされた端末３は、同一端末３からのログアウト操作が為されるか、又は同一ユーザが別の端末でログイン操作を行うまで、ログイン状態が維持されるようにしているので、端末とユーザとの対応付けがある程度固定している場合には、使用する毎にログイン操作を行わずに済み、ユーザの操作を簡略化することができ、必要であればログアウトして別のユーザが使用可能とすることができる効果がある。
【００４６】
但し、端末３の電源をオンにした場合に既にログイン状態になっていると別のユーザを受け付けることができないため、利用者情報テーブル５１に登録されているユーザ数が多い場合や端末１台あたりのユーザ数が多い場合等、端末とユーザとの対応付けがより不特定な場合には、端末３の電源をオフにする毎に自動的にログアウトするようにしても構わない。
【００４７】
具体的には、端末３の電源がオフ／オンされた場合には常に、端末利用者管理テーブル５２の当該端末に対応したユーザＩＤをクリアし、ログイン画面を出力する。
このように端末３の電源オフ／オンの場合に自動的にログアウトして、ログイン画面を出力するようにすれば、電源投入時には必ず新たなユーザの登録を受け入れ可能な状態になるので、多数の利用者が予想され、より不特定性が高い場所での適用が可能である。
【００４８】
【発明の効果】
本発明によれば、無線端末からの要求によって、当該無線端末のＩＰアドレスをＷｅｂサーバに出力し、当該無線端末からユーザＩＤ及びパスワードを用いたログイン要求があると、ログイン要求の情報をＷｅｂサーバに出力する構内交換機と、ユーザの情報としてユーザ名とユーザＩＤとパスワードとを対応付けて記憶する利用者情報テーブルと、ユーザが利用している無線端末を管理するために無線端末の内線番号及びＩＰアドレスに対応付けてログイン中のユーザＩＤを記憶する端末利用者管理テーブルとを有するデータベースと、無線端末のＩＰアドレスとユーザＩＤ及びパスワードを用いたログイン要求の情報が入力されると、データベースの利用者管理テーブルにアクセスし、正当なユーザからのログイン要求であるか否かを判断し、正当なユーザでなければログインを拒否し、正当なユーザであれば当該無線端末の内線番号及びＩＰアドレスに当該ユーザＩＤを対応付けてデータベースの端末利用者管理テーブルに記憶させ、更に無線端末の利用状況に関する閲覧要求が入力されると、データベースの端末利用者管理テーブル及び利用者管理テーブルにアクセスして、ログイン中の無線端末の内線番号及び対応するユーザ名を構内交換機を介して閲覧要求のあった無線端末に出力するＷｅｂサーバとを有することを特徴とする構内無線通信システムとしているので、ユーザと無線端末との対応をリアルタイムのログイン状況に基づいて管理することにより、ユーザが任意の端末を使用できるようにして利便性を向上させることができると共に、ログイン状況を閲覧可能としたことにより通話又は通信相手の情報を得ることができ、システムの利用効率を向上させることができる効果がある。
【００４９】
また、本発明によれば、ユーザの情報としてユーザ名とユーザＩＤとパスワードとを対応付けて記憶する利用者情報テーブルと、ユーザが利用している無線端末を管理するために無線端末の内線番号及びＩＰアドレスに対応付けてログイン中のユーザＩＤを記憶する端末利用者管理テーブルとを有するデータベースを備え、構内交換機を介して、無線端末のＩＰアドレスと、ユーザＩＤ及びパスワードを用いたログイン要求とが入力されると、データベースの利用者管理テーブルにアクセスし、正当なユーザからのログイン要求であるか否かを判断し、正当なユーザでなければログインを拒否し、正当なユーザであれば当該無線端末の内線番号及びＩＰアドレスにユーザＩＤを対応付けてデータベースの前記端末利用者管理テーブルに記憶させ、更に無線端末の利用状況に関する閲覧要求が入力されると、データベースの前記端末利用者管理テーブル及び利用者管理テーブルにアクセスして、ログイン中の無線端末の内線番号及び対応するユーザ名を構内交換機を介して閲覧要求のあった無線端末に出力するＷｅｂサーバとしているので、ユーザと無線端末との対応をリアルタイムのログイン状況に基づいて管理することにより、ユーザが任意の端末を使用できるようにして利便性を向上させることができると共に、ログイン状況を閲覧可能としたことにより通話又は通信相手の情報を得ることができ、システムの利用効率を向上させることができる効果がある。
【図面の簡単な説明】
【図１】本発明の実施の形態に係る構内無線通信システムの構成ブロック図である。
【図２】ネットワーク制御部１３が備えているＰＨＳ端末管理テーブル１３ａの説明図である。
【図３】利用者情報テーブル５１の説明図である。
【図４】端末利用者管理テーブル５２の説明図である。
【図５】ログイン時の画面を示す表示例である。
【図６】ログイン要求があった場合のＷｅｂサーバ４の動作を示すフローチャート図である。
【図７】従来の構内無線通信システムの構成を示すブロック図である。
【符号の説明】
１…交換機、  ２…基地局、  ３…端末（無線端末）、  ４…Ｗｅｂサーバ、５…データベース、  ７…交換機、  １１…交換制御部、  １２…基地局制御部、  １３…ネットワーク制御部、  １３ａ…ＰＨＳ端末管理テーブル、  １４…主制御部、  １５…時分割スイッチ、  ５１…利用者情報テーブル、  ５２…端末利用者管理テーブル、  ７１…交換制御部、  ７２…基地局制御部、  ７３…主制御部、  ７４…時分割スイッチ
【図１】
0003942916.tif 000002
【図２】
0003942916.tif 000003
【図３】
0003942916.tif 000004
【図４】
0003942916.tif 000005
【図５】
0003942916.tif 000006
【図６】
0003942916.tif 000007
【図７】
0003942916.tif 000008